(57)【要約】【課題】  供給対象に対する現像剤の供給効率が良好な現像剤供給装置を提供する。【解決手段】  現像剤供給装置は、供給対象に対して現像剤を供給する供給位置を含む現像剤搬送経路に沿って配列された複数の搬送電極を備えた搬送電極基板と、搬送電極基板と現像剤搬送経路を挟んで対向するように搬送電極基板よりも供給対象側に配置された対向電極基板と、を備える。現像剤の搬送方向に沿って見た場合に、供給位置よりも搬送方向における手前側で当該供給位置と隣接する現像剤搬送経路の部分にて、搬送電極基板に印加される多相交番電圧である搬送電圧の位相が、搬送電圧と同一波長の対向電極基板に印加される多相交番電圧である対向電圧の位相よりも、半波長未満の範囲で遅れる。【選択図】  図２
2010078838.tif 000002
【特許請求の範囲】
【請求項１】
帯電した粉末状の現像剤を、電界により所定の現像剤搬送経路に沿って搬送しつつ、供給対象に対して供給するように構成された、現像剤供給装置において、
前記供給対象と対向するように配置されていて、当該供給対象に対して前記現像剤を供給する供給位置を含む前記現像剤搬送経路に沿って配列された複数の搬送電極を備えた、薄板状の搬送電極基板と、
前記搬送電極基板と前記現像剤搬送経路を挟んで対向するように前記搬送電極基板よりも前記供給対象側に配置されていて、前記現像剤搬送経路に沿って配列された複数の対向電極を備えた、薄板状の対向電極基板と、
を備え、
前記現像剤の搬送方向に沿って見た場合に、前記供給位置よりも前記搬送方向における手前側で当該供給位置と隣接する前記現像剤搬送経路の部分にて、前記搬送電極基板に印加される多相交番電圧である搬送電圧の位相が、前記搬送電圧と同一波長の前記対向電極基板に印加される多相交番電圧である対向電圧の位相よりも、半波長未満の範囲で遅れるように構成されたことを特徴とする、現像剤供給装置。
【請求項２】
請求項１に記載の、現像剤供給装置であって、
前記供給位置にて、前記現像剤を、当該供給位置における前記搬送方向と直交する方向に沿って、前記供給対象に対して供給するように構成されたことを特徴とする、現像剤供給装置。
【請求項３】
請求項１又は請求項２に記載の、現像剤供給装置であって、
前記対向電極と同一の電位となる前記搬送電極が、当該対向電極よりも、前記搬送方向と反対側に変位するように、前記搬送電極基板及び前記対向電極基板が構成及び配置されていることを特徴とする、現像剤供給装置。
【請求項４】
請求項３に記載の、現像剤供給装置であって、
前記搬送電極基板と前記対向電極基板とが互いに平行な平板状であり、前記搬送電極及び前記対向電極が前記搬送方向について同一幅で等間隔に設けられている、
と仮定した場合に、
同一の電位となる前記搬送電極と前記対向電極との変位量をΔとすると、
０＜Δ＜Ｄpp・Ｎp／２
（Ｄppは前記搬送電極及び前記対向電極の前記搬送方向における電極間ピッチ、Ｎpは前記搬送電圧及び前記対向電圧における電圧相数）
を満たすように、前記搬送電極基板及び前記対向電極基板が構成及び配置されていることを特徴とする、現像剤供給装置。
【請求項５】
請求項３に記載の、現像剤供給装置であって、
前記搬送電極及び前記対向電極が前記搬送方向について同一ピッチで形成され、前記搬送電極基板及び前記対向電極基板が側断面視にて同心円弧状に屈曲して設けられ、前記対向電極基板が前記搬送電極基板よりも外側に配置されている、
と仮定した場合に、
前記供給位置よりも前記搬送方向における手前側で当該供給位置と隣接する前記現像剤搬送経路の前記部分が、
ｋα＜θ＜（ｋ＋１／２）α
（θは同一電位となる前記搬送電極と前記対向電極とが前記同心円弧における半径方向について一致する位置を基準として当該位置から前記搬送方向に向かう前記同心円弧の中心角、αは同一電位となる前記搬送電極と前記対向電極とが前記同心円弧における半径方向についてθ＝０の次に一致する位置における前記同心円弧の中心角、ｋは０以上の整数）
で示されるθの範囲内となるように、前記搬送電極基板及び前記対向電極基板が構成及び配置されていることを特徴とする、現像剤供給装置。
【発明の詳細な説明】
【技術分野】
【０００１】
本発明は、帯電した粉末状の現像剤を、電界により所定の現像剤搬送経路に沿って搬送しつつ、供給対象に対して供給するように構成された、現像剤供給装置に関する。
【背景技術】
【０００２】
この種の装置において、進行波電界を形成するための複数の電極を備えた搬送基板を２つ備えていて、両者を向かい合わせるように配置したものが知られている（例えば、特開２００２−２８７４８４号公報、特開２００２−３５１２１８号公報、特開２００８−９６９０５号公報、等参照。）。
【特許文献１】特開２００２−２８７４８４号公報
【特許文献２】特開２００２−３５１２１８号公報
【特許文献３】特開２００８−９６９０５号公報
【発明の開示】
【発明が解決しようとする課題】
【０００３】
上述した構成において、一方の搬送基板と他方の搬送基板とにおける進行波電界の発生状況が適切ではない状態となると、供給対象に対する現像剤の供給効率が良好ではなくなる可能性がある。
【０００４】
本発明は、かかる課題に対処するためになされたものである。すなわち、本発明の目的は、供給対象に対する現像剤の供給効率が良好な現像剤供給装置を提供することにある。
【課題を解決するための手段】
【０００５】
本発明の現像剤供給装置は、帯電した粉末状の現像剤を、電界により所定の現像剤搬送経路に沿って搬送しつつ、供給対象に対して供給するように構成されている。具体的には、この現像剤供給装置は、搬送電極基板と、対向電極基板と、を備えている。
【０００６】
前記搬送電極基板は、薄板状の部材であって、前記供給対象と対向するように配置されている。この搬送電極基板は、複数の搬送電極を備えている。複数の前記搬送電極は、前記現像剤搬送経路（前記供給対象に対して前記現像剤を供給する供給位置を含む）に沿って配列されている。
【０００７】
前記対向電極基板は、薄板状の部材であって、前記搬送電極基板と前記現像剤搬送経路を挟んで対向するように、前記搬送電極基板よりも前記供給対象側に配置されている。この対向電極基板は、複数の対向電極を備えている。複数の前記対向電極は、前記現像剤搬送経路に沿って配列されている。
【０００８】
前記現像剤供給装置は、前記供給位置にて、前記現像剤を、当該供給位置における前記現像剤の搬送方向と直交する方向（すなわち当該供給位置にて前記搬送電極基板と前記対向電極基板とが対向する方向）に沿って、前記供給対象に対して供給するように構成され得る。
【０００９】
本発明の特徴は、前記搬送方向に沿って見た場合に、前記供給位置よりも前記搬送方向における手前側で当該供給位置と隣接する前記現像剤搬送経路の部分にて、前記搬送電極基板に印加される多相交番電圧である搬送電圧の位相が、前記搬送電圧と同一波長の前記対向電極基板に印加される多相交番電圧である対向電圧の位相よりも、半波長未満の範囲で遅れるようになっていることにある。
【００１０】
具体的には、例えば、前記対向電極と同一の電位となる前記搬送電極が、当該対向電極よりも、前記搬送方向と反対側に変位するように、前記搬送電極基板及び前記対向電極基板が構成及び配置され得る。
【００１１】
あるいは、例えば、前記搬送電極基板と前記対向電極基板とが互いに平行な平板状であり、前記搬送電極及び前記対向電極が前記搬送方向について同一幅で等間隔に設けられている（すなわち、前記搬送方向について、複数の前記搬送電極の幅が略等しく、複数の前記対向電極の幅が略等しく、複数の前記搬送電極が等間隔で設けられ、複数の前記対向電極が前記搬送電極間の間隔と同一の間隔で等間隔に設けられている。）、と仮定した場合に、
同一の電位となる前記搬送電極と前記対向電極との変位量をΔとすると、
０＜Δ＜Ｄpp・Ｎp／２
（Ｄppは前記搬送電極及び前記対向電極の前記搬送方向における電極間ピッチ、Ｎpは前記搬送電圧及び前記対向電圧における電圧相数）
を満たすように、前記搬送電極基板及び前記対向電極基板が構成及び配置され得る。
【００１２】
あるいは、例えば、前記搬送電極及び前記対向電極が前記搬送方向について同一ピッチで形成され、前記搬送電極基板及び前記対向電極基板が側断面視にて同心円弧状に屈曲して設けられ、前記対向電極基板が前記搬送電極基板よりも外側に配置されている、と仮定した場合に、
前記供給位置よりも前記搬送方向における手前側で当該供給位置と隣接する前記現像剤搬送経路の前記部分が、
ｋα＜θ＜（ｋ＋１／２）α
（θは同一電位となる前記搬送電極と前記対向電極とが前記同心円弧における半径方向について一致する位置を基準として当該位置から前記搬送方向に向かう前記同心円弧の中心角、αは同一電位となる前記搬送電極と前記対向電極とが前記同心円弧における半径方向についてθ＝０の次に一致する位置における前記同心円弧の中心角、ｋは０以上の整数）
で示されるθの範囲内となるように、前記搬送電極基板及び前記対向電極基板が構成及び配置され得る。
【発明の効果】
【００１３】
かかる構成を備えた本発明の現像剤供給装置によれば、前記搬送電極基板の表面近傍よりも、当該表面から浮き上がった領域の方が、前記現像剤の存在比率が高くなる（これは計算機シミュレーションによって容易に確認することができる）。これにより、前記供給対象に対する前記現像剤の供給効率が向上する。
【発明を実施するための最良の形態】
【００１４】
以下、本発明の実施形態（本願の出願時点において取り敢えず出願人が最良と考えている実施形態）について、図面を参照しつつ説明する。
【００１５】
なお、以下の実施形態に関する記載は、法令で要求されている明細書の記載要件（記述要件・実施可能要件）を満たすために、本発明の具体化の単なる一例を、可能な範囲で具体的に記述しているものにすぎない。
【００１６】
よって、後述するように、本発明が、以下に説明する実施形態の具体的構成に何ら限定されるものではないことは、全く当然である。本実施形態に対して施され得る各種の変更（modification）は、当該実施形態の説明中に挿入されると、一貫した実施形態の説明の理解が妨げられるので、末尾にまとめて記載されている。
【００１７】
＜レーザープリンタの概略構成＞
図１は、本発明の一実施形態が適用されたレーザープリンタ１の概略構成を示す側面図である。
【００１８】
まず、レーザープリンタ１の全体構成について、図１を参照しつつ説明する。このレーザープリンタ１は、用紙搬送機構２と、感光体ドラム３と、帯電器４と、スキャナーユニット５と、トナー供給装置６と、を備えている。
【００１９】
レーザープリンタ１内に備えられた、図示しない給紙トレイには、シート状の用紙Ｐが、積み重ねられた状態で収容されている。用紙搬送機構２は、用紙Ｐを、上述の給紙トレイから排出させるとともに所定の用紙搬送経路ＰＰに沿って搬送し得るように構成されている。
【００２０】
本発明の供給対象としての感光体ドラム３の外周面には、静電潜像担持面ＬＳが設けられている。静電潜像担持面ＬＳは、主走査方向（図中ｚ軸方向）と平行な円筒面状に形成されている。
【００２１】
感光体ドラム３は、正電荷分布による静電潜像が静電潜像担持面ＬＳ上に形成されるとともに、正極性に帯電した粉末状のトナー（乾式現像剤）が静電潜像に対応した位置に担持されるように構成されている。
【００２２】
また、感光体ドラム３は、前記主走査方向と平行な中心軸Ｃを中心として、図中矢印で示されている方向（図１における時計回り）に回転駆動されるようになっている。すなわち、前記主走査方向と直交する副走査方向（典型的には図中ｘ軸方向）に沿って静電潜像担持面ＬＳが移動し得るように、感光体ドラム３が構成されている。
【００２３】
帯電器４は、静電潜像担持面ＬＳと対向するように配置されている。この帯電器４は、コロトロン型あるいはスコロトロン型の帯電器であって、静電潜像形成前の静電潜像担持面ＬＳを一様に正帯電させ得るように構成されている。
【００２４】
スキャナーユニット５は、画像データに基づいて変調された（画素の有無に対応して発光のＯＮ／ＯＦＦが制御された）所定の波長帯域のレーザービームＬＢを生成するとともに、このレーザービームＬＢを静電潜像担持面ＬＳにおけるスキャン位置ＳＰにて結像させる（露光する）ように構成されている。ここで、スキャン位置ＳＰは、帯電器４よりも、感光体ドラム３の回転方向（図１における矢印で示されている方向：図中時計回り）における下流側の位置に設けられている。
【００２５】
また、スキャナーユニット５は、帯電器４によって一様に帯電された静電潜像担持面ＬＳ上にて、レーザービームＬＢが結像される位置を前記主走査方向に沿って等速度にて移動させる（走査する）ことで、静電潜像担持面ＬＳ上に静電潜像を形成し得るように構成されている。
【００２６】
トナー供給装置６は、感光体ドラム３と対向するように配置されている。本発明の現像剤供給装置としてのトナー供給装置６は、現像位置ＤＰにて、トナーを帯電した状態で静電潜像担持面ＬＳに供給し得るように構成されている。このトナー供給装置６の詳細な構成については後述する。
【００２７】
＜レーザープリンタの各部の構成＞
次に、レーザープリンタ１の各部の具体的な構成について、詳細に説明する。
【００２８】
＜＜用紙搬送機構＞＞
用紙搬送機構２は、一対のレジストローラ２１と、転写ローラ２２と、を備えている。
【００２９】
レジストローラ２１は、用紙Ｐを所定のタイミングにて感光体ドラム３と転写ローラ２２との間に向けて送り出し得るように構成されている。
【００３０】
転写ローラ２２は、感光体ドラム３の外周面である静電潜像担持面ＬＳと、転写位置ＴＰにて、用紙Ｐを挟んで対向するように配置されている。また、転写ローラ２２は、図中矢印で示されている方向（反時計回り）に回転駆動されるように構成されている。
【００３１】
転写ローラ２２は、図示しないバイアス電源回路に接続されている。すなわち、転写ローラ２２と感光体ドラム３との間で、静電潜像担持面ＬＳ上に付着したトナーを用紙Ｐに転写させるための所定の転写バイアス電圧が印加されるようになっている。
【００３２】
＜＜感光体ドラム＞＞
図２は、図１に示されている感光体ドラム３とトナー供給装置６とが対向している部分を拡大した側断面図である。
【００３３】
図２を参照すると、感光体ドラム３は、ドラム本体３１と、感光層３２と、から構成されている。
【００３４】
ドラム本体３１は、図中ｚ軸と平行な円筒状の部材であって、アルミニウム等の金属から構成されている。このドラム本体３１は、電気的には接地されている。
【００３５】
感光層３２は、ドラム本体３１の外周を覆うように設けられている。この感光層３２は、所定波長のレーザー光の露光によって電子伝導性を示す、正帯電性の光導電層から構成されている。
【００３６】
静電潜像担持面ＬＳは、感光層３２の外周面によって構成されている。すなわち、帯電器４（図１参照）によって一様に正帯電された後に、スキャン位置ＳＰにてレーザービームＬＢが走査されることで、正電荷のパターンからなる静電潜像ＬＩが形成されるように、静電潜像担持面ＬＳ（感光層３２）が構成されている。
【００３７】
＜＜トナー供給装置＞＞
上述の通り、トナー供給装置６は、帯電した粉末状のトナーＴを、電界によりトナー搬送経路ＴＴＰに沿って搬送しつつ、現像位置ＤＰにてトナー搬送経路ＴＴＰと直交する方向（現像位置ＤＰにて後述する搬送電極基板６３と対向電極基板６４とが対向する方向）に沿って飛翔させることで、供給対象としての感光体ドラム３に対して供給するように構成されている。なお、トナー搬送経路ＴＴＰは、進行波電界によるトナーＴの搬送経路であって、トナー供給装置６のケーシングをなすトナーボックス６１の内部にて、現像位置ＤＰを含む側断面視にて略長円形状に形成されているものとする。
【００３８】
具体的には、図２を参照すると、トナー供給装置６のケーシングをなすトナーボックス６１は、箱状部材であって、その内部に微粒子状の乾式現像剤としてのトナーＴを貯留し得るように構成されている。なお、本実施形態においては、トナーＴは、正帯電性、非磁性１成分の、黒色トナーであるものとする。
【００３９】
トナーボックス６１における頂板６１ａは、平面視にて長方形状の平板状部材であって、感光体ドラム３と近接するように配置されている。
【００４０】
頂板６１ａには、トナーＴがトナーボックス６１の内部から感光層３２に向けて図中ｙ軸方向に沿って移動する際に通過し得る貫通孔としての、トナー通過孔６１ａ１が形成されている。このトナー通過孔６１ａ１は、平面視にて、前記主走査方向（図中ｚ軸方向）における感光層３２の幅と略同じ長さの長辺を有するとともに前記副走査方向（図中ｘ軸方向）と平行な短辺を有する長方形状に形成されている。
【００４１】
トナー通過孔６１ａ１は、頂板６１ａと感光層３２とが最近接している位置の近傍に設けられている。また、トナー通過孔６１ａ１は、その前記副走査方向（図中ｘ軸方向）における中心が、現像位置ＤＰとほぼ一致するように形成されている。
【００４２】
トナーボックス６１における頂板６１ａと対向するように、トナーボックス６１の内部には、搬送電極基板支持部材６２が設けられている。この搬送電極基板支持部材６２における、頂板６１ａと対向する側の表面には、上述の搬送電極基板６３が支持されている。すなわち、搬送電極基板６３は、トナー搬送経路ＴＴＰを挟んで、感光体ドラム３と対向するように設けられている。
【００４３】
＜＜＜搬送電極基板・対向電極基板＞＞＞
図３は、図２に示されている搬送電極基板６３を拡大した側断面図である。
【００４４】
図３を参照すると、搬送電極基板６３は、薄板状の部材であって、フレキシブルプリント配線基板と同様の構成を有している。具体的には、搬送電極基板６３は、搬送電極６３ａと、搬送電極支持フィルム６３ｂと、搬送電極コーティング層６３ｃと、搬送電極オーバーコーティング層６３ｄと、から構成されている。
【００４５】
搬送電極６３ａは、前記主走査方向と平行な長手方向を有する線状の配線パターンとして形成されている。具体的には、搬送電極６３ａは、厚さが数十μｍ程度の銅箔からなる。また、複数の搬送電極６３ａは、互いに平行に配置されている。そして、これらの搬送電極６３ａは、前記副走査方向に沿って配列されている。
【００４６】
また、搬送電極６３ａは、トナー搬送経路ＴＴＰ（図２参照）に面した搬送電極基板６３の表面であるトナー搬送面ＴＴＳに沿って配置されている。すなわち、搬送電極６３ａは、トナー搬送面ＴＴＳの近傍にて、トナー搬送経路ＴＴＰ（図２参照）に沿って配置されている。
【００４７】
前記副走査方向に沿って多数配列された各搬送電極６３ａは、３本置きに同一の電源回路に接続されている。すなわち、電源回路ＶＡに接続された搬送電極６３ａ，電源回路ＶＢに接続された搬送電極６３ａ，電源回路ＶＣに接続された搬送電極６３ａ，電源回路ＶＤに接続された搬送電極６３ａ，電源回路ＶＡに接続された搬送電極６３ａ，電源回路ＶＢに接続された搬送電極６３ａ，電源回路ＶＣに接続された搬送電極６３ａ・・・が、前記副走査方向に沿って順に配列されている。
【００４８】
ここで、各電源回路ＶＡないしＶＤは、ほぼ同一波形の交番電圧（搬送電圧）を出力し得るように構成されている。また、各電源回路ＶＡないしＶＤが発生する電圧の波形における位相が、９０°ずつ異なるように、各電源回路ＶＡないしＶＤが構成されている。すなわち、電源回路ＶＡから電源回路ＶＤに向かう順に、電圧の位相が９０°（１／４波長）ずつ遅れるようになっている。
【００４９】
このように、本実施形態における搬送電極基板６３は、各搬送電極６３ａに対して上述のような４相の搬送電圧が印加されて、前記副走査方向に沿った進行波状の電界が発生することで、正帯電したトナーＴを、トナー搬送面ＴＴＳと平行なトナー搬送方向ＴＴＤに搬送し得るように構成されている。
【００５０】
複数の搬送電極６３ａは、搬送電極支持フィルム６３ｂの表面上に形成されている。搬送電極支持フィルム６３ｂは、可撓性のフィルムであって、ポリイミド樹脂等の絶縁性の合成樹脂から構成されている。
【００５１】
搬送電極コーティング層６３ｃは、絶縁性の合成樹脂から構成されている。この搬送電極コーティング層６３ｃは、搬送電極支持フィルム６３ｂにおける搬送電極６３ａが設けられている表面と、搬送電極６３ａと、を覆うように設けられている。
【００５２】
搬送電極コーティング層６３ｃの上には、搬送電極オーバーコーティング層６３ｄが設けられている。すなわち、上述の搬送電極コーティング層６３ｃは、搬送電極オーバーコーティング層６３ｄと搬送電極６３ａとの間に形成されている。
【００５３】
そして、上述のトナー搬送面ＴＴＳは、搬送電極オーバーコーティング層６３ｄの表面からなり、凹凸の極めて少ない平滑な面として形成されている。
【００５４】
再び図２を参照すると、トナーボックス６１の内部には、上述の対向電極基板６４が設けられている。対向電極基板６４は、トナー搬送経路ＴＴＰに面するように、トナーボックス６１における頂板６１ａの内側面に支持されている。すなわち、対向電極基板６４は、トナー搬送経路ＴＴＰを挟んで搬送電極基板６３と対向するように、搬送電極基板６３よりも感光体ドラム３側に配置されている。
【００５５】
対向電極基板６４は、薄板状の部材であって、搬送電極基板６３と同様に、フレキシブルプリント配線基板と同様の構成を有している。具体的には、対向電極基板６４は、トナー搬送経路ＴＴＰに沿って配列された複数の対向電極６４ａ（図６参照）を備えている。
【００５６】
本実施形態における対向電極基板６４は、上述の搬送電極基板６３と同様に、４相の交番電圧である対向電圧が印加されて、前記副走査方向に沿った進行波状の電界が発生することで、正帯電したトナーＴを、トナー搬送面ＴＴＳと平行なトナー搬送方向ＴＴＤに搬送し得るように構成されている。
【００５７】
制御部６５は、レーザープリンタ１に備えられている各部（駆動部や電源回路等）と電気的に接続されていて、その動作を制御するように構成されている。
【００５８】
本実施形態においては、トナー通過孔６１ａ１よりもトナー搬送方向ＴＴＤにおける手前側（上流側）で現像位置ＤＰと隣接する部分（図２におけるトナー通過孔６１ａ１よりも左側の部分）にて、搬送電圧の位相が、対向電圧の位相よりも、半波長未満の範囲で遅れるようになっている（詳細については後述する）。
【００５９】
ここで、搬送電圧は、搬送電極基板６３に印加される多相交番電圧である。また、対向電圧は、対向電極基板６４に印加される多相交番電圧であり、本実施形態においては、搬送電圧と同一波長であるものとする。
【００６０】
＜レーザープリンタの動作の概要＞
次に、上述のように構成されたレーザープリンタ１による動作の概要について、図面を適宜参照しつつ説明する。
【００６１】
＜＜給紙動作＞＞
まず図１を参照すると、図示しない上述の給紙トレイ上に積載された用紙Ｐの先端が、レジストローラ２１まで送られる。このレジストローラ２１にて、用紙Ｐの斜行が補正されるとともに、搬送タイミングが調整される。その後、用紙Ｐは、転写位置ＴＰまで給送される。
【００６２】
＜＜静電潜像担持面上へのトナー像の担持＞＞
上述のように用紙Ｐが転写位置ＴＰに向けて搬送されている間に、感光体ドラム３の周面である静電潜像担持面ＬＳ上に、以下のようにしてトナーＴによる像が担持される。
【００６３】
＜＜＜静電潜像の形成＞＞＞
感光体ドラム３の静電潜像担持面ＬＳは、まず、帯電器４によって、正極性に一様に帯電される。
【００６４】
帯電器４によって帯電された静電潜像担持面ＬＳは、感光体ドラム３の図中矢印で示されている方向（時計回り）の回転により、スキャナーユニット５と対向する（正対する）位置であるスキャン位置ＳＰまで、前記副走査方向に沿って移動する。
【００６５】
図２を参照すると、スキャン位置ＳＰにて、画像情報に基づいて変調されたレーザービームＬＢが、前記主走査方向に沿って走査されつつ、静電潜像担持面ＬＳに照射される。このレーザービームＬＢの変調状態に応じて、静電潜像担持面ＬＳ上の正電荷が消失する部分が生じる。これにより、静電潜像担持面ＬＳ上に、正電荷のパターン（画像状分布）による静電潜像ＬＩが形成される。
【００６６】
静電潜像担持面ＬＳに形成された静電潜像ＬＩは、感光体ドラム３の図中矢印で示されている方向（時計回り）の回転により、トナー供給装置６と対向する現像位置ＤＰに向かって移動する。
【００６７】
＜＜＜帯電トナーの搬送・供給＞＞＞
搬送電極基板６３に対して進行波状の搬送電圧が印加されるとともに、対向電極基板６４に対して進行波状の対向電圧が印加される。これにより、トナー搬送経路ＴＴＰには、所定の進行波状の電界が形成される。この進行波状の電界により、正帯電のトナーＴが、トナー搬送経路ＴＴＰに沿って、トナー搬送方向ＴＴＤに搬送される。
【００６８】
図４は、図３に示されている電源回路ＶＡないしＶＤが発生する電圧の波形を示したグラフである。図５Ａないし図５Ｃは、図３に示されている搬送電極基板６３におけるトナー搬送面ＴＴＳの周辺を拡大して示す側断面図である。なお、図３にて電源回路ＶＡと接続されている搬送電極６３ａは、図５Ａないし図５Ｃにおいて、搬送電極６３ａＡと示されている。搬送電極６３ａＢないし搬送電極６３ａＤも同様である。
【００６９】
以下、正帯電のトナーＴが、トナー搬送面ＴＴＳ上にて、トナー搬送方向ＴＴＤに搬送される様子について、図４及び図５Ａないし図５Ｃを参照しつつ説明する。
【００７０】
図４に示されているように、各電源回路ＶＡないしＶＤから、ほぼ同一波形の交番電圧が、電源回路ＶＡから電源回路ＶＤに向かう順に位相が９０°ずつ遅れるように出力される。
【００７１】
図４における時点ｔ１においては、図５Ａに示されているように、搬送電極６３ａＡと搬送電極６３ａＢとの間の位置であるＡＢ間位置にて、トナー搬送方向ＴＴＤと逆向きの電界ＥＦ１が形成される。
【００７２】
一方、搬送電極６３ａＣと搬送電極６３ａＤとの間の位置であるＣＤ間位置には、トナー搬送方向ＴＴＤと同じ向きの電界ＥＦ２が形成される。
【００７３】
また、搬送電極６３ａＢと搬送電極６３ａＣとの間の位置であるＢＣ間位置、及び搬送電極６３ａＤと搬送電極６３ａＡとの間の位置であるＤＡ間位置には、トナー搬送方向ＴＴＤに沿った方向の電界が形成されない。
【００７４】
すなわち、時点ｔ１においては、前記ＡＢ間位置にて、正帯電のトナーＴは、トナー搬送方向ＴＴＤと逆向きの静電力を受ける。
【００７５】
また、前記ＢＣ間位置及び前記ＤＡ間位置にて、正帯電のトナーＴは、トナー搬送方向ＴＴＤに沿った方向の静電力をほとんど受けない。
【００７６】
また、前記ＣＤ間位置にて、正帯電のトナーＴは、トナー搬送方向ＴＴＤと同じ向きの静電力を受ける。
【００７７】
よって、時点ｔ１においては、正帯電のトナーＴは、前記ＤＡ間位置に集められる。
【００７８】
同様に、時点ｔ２においては、図５Ｂに示されているように、正帯電のトナーＴは、前記ＡＢ間位置に集められる。次いで、時点ｔ３になると、図５Ｃに示されているように、正帯電のトナーＴは、前記ＢＣ間位置に集められる。
【００７９】
すなわち、トナーＴが集められる領域が、時間の経過に伴い、トナー搬送面ＴＴＳ上を、トナー搬送方向ＴＴＤに移動していく。
【００８０】
再び図２を参照すると、上述のように、搬送電極基板６３に対して、図４に示されているような搬送電圧が印加されるとともに、対向電極基板６４に対しても同様に、上述のような対向電圧が印加される。これにより、トナー搬送経路ＴＴＰにて進行波状の電界が形成され、正帯電したトナーＴが、トナー搬送面ＴＴＳと直交する方向に沿ってホッピングしつつ、トナー搬送方向ＴＴＤに搬送される。
【００８１】
＜＜＜静電潜像の現像＞＞＞
上述のようにして、正帯電のトナーＴが、現像位置ＤＰに供給される。
【００８２】
この現像位置ＤＰにて、静電潜像担持面ＬＳ上の静電潜像ＬＩが、トナーＴによって現像される。すなわち、静電潜像担持面ＬＳ上であって、静電潜像ＬＩにおける正電荷が消失した部分に、トナーＴが付着する。これにより、トナーＴによる画像（以下、「トナー像」と称する。）が、静電潜像担持面ＬＳ上に担持される。
【００８３】
＜＜静電潜像担持面から用紙へのトナー像の転写＞＞
再び図１を参照すると、上述のようにして感光体ドラム３の静電潜像担持面ＬＳ上に担持されたトナー像は、当該静電潜像担持面ＬＳが図中矢印で示されている方向（時計回り）に回転することにより、転写位置ＴＰに向けて搬送される。そして、この転写位置ＴＰにて、トナー像が、静電潜像担持面ＬＳから用紙Ｐ上に転写される。
【００８４】
＜実施形態の構成による作用・効果＞
図６は、図２に示されている搬送電極基板６３及び対向電極基板６４の、トナー通過孔６１ａ１よりもトナー搬送方向ＴＴＤにおける手前側（上流側）にて現像位置ＤＰと隣接する部分を拡大した断面図である。すなわち、図６における対向電極基板６４の右側エッジに隣接するように、図２におけるトナー通過孔６１ａ１が設けられている。
【００８５】
ここで、図６においては、搬送電極基板６３及び対向電極基板６４が略平板状に構成されているとともに、搬送電極６３ａ及び対向電極６４ａが、トナー搬送方向ＴＴＤについて同一幅で等間隔に設けられているものとする。また、同一色に塗りつぶされた電極は、同一電位に設定されているものとする。
【００８６】
図６中、（ｉ）及び（iii）には、搬送電極６３ａと対向電極６４ａとがトナー搬送方向ＴＴＤについて同一位置に設けられている場合の構成が示されている。一方、（ii）及び（iv）には、搬送電極６３ａと対向電極６４ａとがトナー搬送方向ＴＴＤについて互い違いの位置に設けられている場合の構成が示されている。
【００８７】
また、同図中、（ｉ）は、トナー搬送方向ＴＴＤにおける搬送電圧と対向電圧との位相が一致している場合を示している。一方、（ii）ないし（iv）は、対向電極６４ａと同一の電位となる搬送電極６３ａが、当該対向電極６４ａよりもトナー搬送方向ＴＴＤと反対側に変位することで、搬送電圧の位相が対向電圧の位相よりも遅れる場合を示している。
【００８８】
図７ないし図１１は、図６に示されている構成に対応する電界を有限要素法により計算した結果を示す図である。図７ないし図１１中、電界の向きと大きさが、矢印で示されている。また、白い部分は高電位部分であり、濃度が高くなるほど低電位となるものとする。
【００８９】
計算条件は、以下の通りである。
基板間距離：０．５ｍｍ
電極幅：１００μｍ
電極間距離：１００μｍ
印加電圧：プラスマイナス３００Ｖの矩形波
電圧周波数：１０００Ｈｚ
【００９０】
ここで、図７は図６における（ｉ）に対応し、図８は同（ii）に対応し、図９は同（iii）に対応し、図１０は同（iv）に対応する。図１１は、図６における（iv）よりもさらに搬送電極６３ａがトナー搬送方向ＴＴＤと反対側に変位することで、搬送電圧の位相が対向電圧の位相と逆転した場合に対応する。
【００９１】
すなわち、図６における（ｉ）及び図７は搬送電圧と対向電圧とのずれがない場合、図６における（ii）及び図８は搬送電圧が１／８波長遅れている場合、図６における（iii）及び図９は搬送電圧が２／８波長遅れている場合、図６における（iv）及び図１０は搬送電圧が３／８波長遅れている場合、図１１は搬送電圧が４／８波長遅れている場合、にそれぞれ対応する。
【００９２】
また、図１２Ａは、図８の場合のトナーの挙動の様子を示す図である。図１２Ａ中、トナーの集合体が楕円形で示されているものとする。
【００９３】
正帯電のトナーは、トナー搬送方向ＴＴＤに沿って隣り合う、最低電位に設定された電極間の位置に集まる。よって、図７ないし図１１に示されている各電極の電位状態になる時刻の直前においては、当該時刻にて低電位から高電位に変化する電極と低電位のまま維持される電極との間の位置であって、搬送電極基板６３及び対向電極基板６４の表面近傍に、トナーが位置している（図１２Ａにおける破線の楕円形参照）。
【００９４】
上述の時刻になると、トナー搬送方向ＴＴＤに沿って隣り合った異なる電位の電極間にて発生する、トナー搬送方向ＴＴＤに沿った電界により、当該トナー搬送方向ＴＴＤに沿ってトナーが移動（飛翔）する。
【００９５】
図７に示されているように、搬送電圧と対向電圧とのずれがない場合であっても、トナー搬送方向ＴＴＤに沿って隣り合った異なる電位の電極間にて、トナー搬送方向ＴＴＤに向かうとともに搬送電極基板６３と対向電極基板６４との中間位置にも向かう、斜め方向の電界が生じる。この電界により、搬送電極基板６３上のトナーは、図中斜め右上方向に移動する。同様に、対向電極基板６４の表面近傍のトナーは、図中斜め右下方向に移動する。
【００９６】
この点、図８に示されているように、搬送電圧が１／８波長遅れている場合、搬送電極基板６３上のトナーがより上方向に移動するような電界が発生する。すなわち、図８及び図１２Ａに示されているように、搬送電極基板６３上のトナーが移動する方向には、当該トナーを引き寄せるような対向電圧が印加された対向電極６４ａ（図中右上の黒塗りのもの）が存在する。このため、当該トナーは、図７の場合よりも、より上方に飛翔する。
【００９７】
一方、対向電極基板６４の表面近傍のトナーが移動する方向には、図８及び図１２Ａに示されているように、当該トナーを斥けるような搬送電圧が印加された搬送電極６３ａ（図中右下の白塗りのもの）が存在する。このため、当該トナーの下方への飛翔度合いは、図７の場合よりも緩和される。
【００９８】
したがって、以上のように、図６における（ｉ）及び図８に示されているような、搬送電圧が１／８波長遅れている場合、図７の場合よりも、トナーが、より対向電極基板６４側（すなわち図中上方）に位置することとなる。
【００９９】
また、図６における（iii）及び図９に示されているような、搬送電圧が２／８波長遅れている場合も、上述と同様に、図７の場合よりも、トナーが、より対向電極基板６４側（すなわち図中上方）に位置することとなる。
【０１００】
図６における（iv）及び図１０に示されているような、搬送電圧が３／８波長遅れている場合は、図７の場合よりも、トナーがより対向電極基板６４側（すなわち図中上方）に位置することとなるものの、搬送電極基板６３上のトナーが移動する先には、当該トナーを斥けるような対向電圧の影響が若干及ぼされる。よって、搬送電圧が３／８波長遅れている場合は、搬送電圧が１／８ないし２／８波長遅れている場合よりも、トナーがより対向電極基板６４側に位置する程度が若干緩和される。
【０１０１】
図１１に示されているような、搬送電圧が４／８波長遅れている場合は、搬送電極基板６３上のトナーが移動する方向に、当該トナーを斥けるような対向電圧の影響が強く及ぼされる。よって、当該トナーは上方に行き難くなる。
【０１０２】
ここで、図１２Ｂに示されているように、搬送電極基板６３と対向電極基板６４との間の領域（トナー搬送領域）を、搬送電極基板６３と対向電極基板６４とが対向する方向（図中上下方向）に４等分した場合の、中間領域における下側をArea１、その上側をArea２とする。
【０１０３】
図１３は、トナー粒子挙動シミュレーションの結果を示す図である。この図１３においては、Area１及びArea２におけるトナー存在割合が、搬送電圧の遅れの度合い毎に示されている。
【０１０４】
なお、シミュレーション条件は、上記の計算条件に加えて、以下の通りである。
粒子数：２０００個（初期状態：搬送電極基板６３上）
粒子半径：５μｍ
粒子帯電量：５μＣ
初期状態からの経過時間：８msec
【０１０５】
図１３に示されているように、搬送電圧が対向電圧よりも半波長未満の範囲で遅れる場合、すなわち、トナー通過孔６１ａ１よりもトナー搬送方向ＴＴＤにおける手前側（上流側）にて現像位置ＤＰと隣接する部分にて、同一の電位となる搬送電極６３ａと対向電極６４ａとのトナー搬送方向ＴＴＤと反対方向における変位量をΔとすると、
０＜Δ＜Ｄpp・Ｎp／２
（Ｄppは搬送電極６３ａ及び対向電極６４ａのトナー搬送方向における電極間ピッチ、Ｎpは搬送電圧及び対向電圧における電圧相数）
を満たすように、搬送電極基板６３及び対向電極基板６４が構成及び配置されている場合、上側中間領域Area２におけるトナー存在割合が、下側中間領域Area１よりも高くなる。これにより、トナーがトナー通過孔６１ａ１に達した際に、トナーが感光体ドラム３により近い位置まで飛翔することができる。したがって、現像効率が向上する。
【０１０６】
また、図１３に示されているように、搬送電圧が１／１０ないし４／１０波長遅れていることが、より好適である。
【０１０７】
図１４は、搬送電極基板６３及び対向電極基板６４が側断面視にて同心円弧状に屈曲して設けられていて、対向電極基板６４が搬送電極基板６３よりも外側に配置されている場合の概略構成図である。なお、この場合も、搬送電極６３ａ及び対向電極６４ａ（図６参照）は、同一幅及び同一ピッチで形成されているものとする。
【０１０８】
図１４中、θは、搬送電極基板６３と対向電極基板６４とで印加電圧の位相が前記同心円弧における半径方向について一致する或る位置（角度）を基準（０［rad］）とした場合の、トナー搬送方向ＴＴＤに向かう当該同心円弧の中心角［rad］である。また、αは、θ＝０の次に搬送電極基板６３と対向電極基板６４とで印加電圧の位相が一致する角度である。
【０１０９】
θが０ないしθ１の範囲における搬送電極基板６３の長さＬinは、曲率半径をＲinとすると、
Ｌin＝２πＲin×θ１／２π
となる。
【０１１０】
同様に、同範囲における対向電極基板６４の長さＬoutは、曲率半径をＲoutとすると、
Ｌout＝２πＲout×θ１／２π
となる。
【０１１１】
よって、同範囲における搬送電極基板６３と対向電極基板６４との長さの差ΔＬは、
ΔＬ＝Ｌout−Ｌin＝（Ｒout−Ｒin）θ１
となる。
【０１１２】
ここで、搬送電極基板６３及び対向電極基板６４における、印加電圧が１周期となる距離をＬとする。具体的には、例えば、電極幅：１００μｍ、電極間距離：１００μｍ、搬送電圧及び対向電圧の相数：４相とすると、
Ｌ＝（１００μｍ＋１００μｍ）×４＝８００μｍ
となる。
【０１１３】
θ１＝αのときにΔＬ＝Ｌとなることから、以上の各式より、
α＝Ｌ／（Ｒout−Ｒin）
となる。
【０１１４】
図１４に示された構成の場合に、上述の平板状の構成と同様の効果を得るためには、トナー搬送方向ＴＴＤにおける手前側で現像位置ＤＰを含むトナー通過孔６１ａ１（図２参照）と隣接するトナー搬送経路ＴＴＰの部分が、
【０１１５】
ｋα＜θ＜（ｋ＋１／２）α
で示されるθの範囲内となるように、搬送電極基板６３及び対向電極基板６４が構成及び配置される。すなわち、かかるθの範囲内に、対向電極基板６４におけるトナー通過孔６１ａ１に隣接するエッジが設けられる。
【０１１６】
＜変形例の例示列挙＞
なお、上述の実施形態は、上述した通り、出願人が取り敢えず本願の出願時点において最良であると考えた本発明の代表的な実施形態を、単に例示したものにすぎない。よって、本発明はもとより上述の実施形態に何ら限定されるものではない。したがって、本発明の本質的部分を変更しない範囲内において、上述の実施形態に対して種々の変形が施され得ることは、当然である。
【０１１７】
以下、代表的な変形例について、幾つか例示する。以下の変形例の説明において、上述の実施形態にて説明されているものと同様の構成及び機能を有する部材に対しては、上述の実施形態と同様の符号が用いられ得るものとする。そして、かかる部材の説明については、技術的に矛盾しない範囲内において、上述の実施形態における説明が援用され得るものとする。
【０１１８】
もっとも、言うまでもなく、変形例とて、以下に列挙されたもの限定されるものではない。また、複数の変形例が、技術的に矛盾しない範囲内において、適宜、複合的に適用され得る。
【０１１９】
本発明（特に、本発明の課題を解決するための手段を構成する各構成要素における、作用的・機能的に表現されているもの）は、上述の実施形態及び下記変形例の記載に基づいて限定解釈されてはならない。このような限定解釈は、（先願主義の下で出願を急ぐ）出願人の利益を不当に害する反面、模倣者を不当に利するものであって、発明の保護及び利用を目的とする特許法の目的に反し、許されない。
【０１２０】
（１）本発明の適用対象は、単色のレーザープリンタに限定されない。例えば、本発明は、カラーのレーザープリンタや、単色及びカラーの複写機等の、いわゆる電子写真方式の画像形成装置に対して、好適に適用され得る。このとき、感光体の形状は、上述の実施形態のようなドラム状でなくてもよい。例えば、平板状や無端ベルト状等であってもよい。
【０１２１】
あるいは、本発明は、上述の電子写真方式以外の方式（例えば、感光体を用いないトナージェット方式、イオンフロー方式、マルチスタイラス電極方式、等）の画像形成装置に対しても、好適に適用され得る。
【０１２２】
（２）図３を参照すると、搬送電極基板６３や対向電極基板６４の構成は、上述の実施形態のものに限定されない。
【０１２３】
例えば、搬送電極オーバーコーティング層６３ｄは省略され得る。あるいは、搬送電極６３ａが搬送電極支持フィルム６３ｂ内に埋め込まれることで、搬送電極コーティング層６３ｃ及び搬送電極オーバーコーティング層６３ｄの双方が省略され得る。
【０１２４】
また、搬送電極６３ａは、主走査方向と所定の小さな角度（例えば５ないし３０度）にて交差するように設けられていてもよい。
【０１２５】
さらに、隣り合う搬送電極６３ａ間のギャップはである電極間距離は、上述の実施形態のように電極幅と等しくなるように設定されていてもよいし、電極幅と異なるように設定されていてもよい。
【０１２６】
（３）図４を参照すると、各電源回路ＶＡ〜ＶＤが発生する電圧の波形は、矩形波状以外にも、正弦波状や三角波状等の任意のものが用いられ得る。
【０１２７】
また、上述の実施形態においては、４つの電源回路ＶＡ〜ＶＤが設けられるとともに、各電源回路ＶＡ〜ＶＤが発生する電圧の位相が９０°ずつ異なっていた。もっとも、本発明はこれに限定されず、例えば、３つの電源回路が備えられるとともに、各電源回路が発生する電圧の位相が１２０°ずつ異なるようになっていてもよい。
【０１２８】
（４）上述の実施形態においては、トナー搬送方向ＴＴＤにおける搬送電極６３ａと対向電極６４ａとの位置関係を調整することで、搬送電圧と対向電圧との位相関係を調整している。もっとも、本発明は、かかる態様に限定されない。
【０１２９】
すなわち、例えば、図７、図９、及び図１１の対応関係から明らかなように、互いに対向する搬送電極６３ａと対向電極６４ａがトナー搬送方向ＴＴＤについて略一致するように搬送電極基板６３及び対向電極基板６４が構成及び配置されていても、搬送電圧と対向電圧との出力タイミングを適宜変更することで、同様の作用・効果を達成することが可能である。
【０１３０】
（５）その他、際限がないのでいちいち言及しないが、本発明の要旨を逸脱しない範囲内で、これら以外の種々の変形が可能である。
【０１３１】
また、本発明の課題を解決するための手段を構成する各要素における、作用・機能的に表現されている要素は、上述の実施形態や変形例にて開示されている具体的構造の他、当該作用・機能を実現可能ないかなる構造をも含む。
【図面の簡単な説明】
【０１３２】
【図１】本発明の一実施形態が適用されたレーザープリンタの概略構成を示す側面図である。
【図２】図１に示されている感光体ドラムとトナー供給装置とが対向している部分を拡大した側断面図である。
【図３】図２に示されている搬送電極基板を拡大した側断面図である。
【図４】図３に示されている電源回路が発生する電圧の波形を示したグラフである。
【図５Ａ】図３に示されている搬送電極基板におけるトナー搬送面ＴＴＳの周辺を拡大して示す側断面図である。
【図５Ｂ】図３に示されている搬送電極基板におけるトナー搬送面ＴＴＳの周辺を拡大して示す側断面図である。
【図５Ｃ】図３に示されている搬送電極基板におけるトナー搬送面ＴＴＳの周辺を拡大して示す側断面図である。
【図６】図２に示されている搬送電極基板及び対向電極基板の、トナー通過孔よりもトナー搬送方向における手前側（上流側）にて現像位置と隣接する部分を拡大した断面図である。
【図７】図６に示されている構成に対応する電界を有限要素法により計算した結果を示す図である。
【図８】図６に示されている構成に対応する電界を有限要素法により計算した結果を示す図である。
【図９】図６に示されている構成に対応する電界を有限要素法により計算した結果を示す図である。
【図１０】図６に示されている構成に対応する電界を有限要素法により計算した結果を示す図である。
【図１１】図６に示されている構成に対応する電界を有限要素法により計算した結果を示す図である。
【図１２Ａ】図８の場合のトナーの挙動の様子を示す図である。
【図１２Ｂ】搬送電極基板と対向電極基板との間の領域であるトナー搬送領域を、搬送電極基板と対向電極基板とが対向する方向に４等分した場合の、上側中間領域及び下側中間領域を示す図である。
【図１３】トナー粒子挙動シミュレーションの結果を示す図である。
【図１４】搬送電極基板及び対向電極基板が側断面視にて同心円弧状に屈曲して設けられていて、対向電極基板が搬送電極基板よりも外側に配置されている場合の概略構成図である。
【符号の説明】
【０１３３】
１…レーザープリンタ
２…用紙搬送機構
３…感光体ドラム（供給対象）
４…帯電器
５…スキャナーユニット
６…トナー供給装置（現像剤供給装置）
２１…レジストローラ
２２…転写ローラ
３１…ドラム本体
３２…感光層
６１…トナーボックス
６１ａ…頂板
６１ａ１…トナー通過孔
６２…搬送電極基板支持部材
６３…搬送電極基板
６３ａ…搬送電極
６３ｂ…搬送電極支持フィルム
６３ｃ…搬送電極コーティング層
６３ｄ…搬送電極オーバーコーティング層
６４…対向電極基板
６４ａ…対向電極
６５…制御部
Ｃ…中心軸
ＤＰ…現像位置（供給位置）
ＬＢ…レーザービーム
ＬＩ…静電潜像
ＬＳ…静電潜像担持面
Ｐ…用紙
ＰＰ…用紙搬送経路
ＳＰ…スキャン位置
Ｔ…トナー
ＴＰ…転写位置
ＴＴＤ…トナー搬送方向
ＴＴＰ…トナー搬送経路
ＴＴＳ…トナー搬送面
【図１】
2010078838.tif 000003
【図２】
2010078838.tif 000004
【図３】
2010078838.tif 000005
【図４】
2010078838.tif 000006
【図５Ａ】
2010078838.tif 000007
【図５Ｂ】
2010078838.tif 000008
【図５Ｃ】
2010078838.tif 000009
【図６】
2010078838.tif 000010
【図１４】
2010078838.tif 000011
【図７】
2010078838.tif 000012
【図８】
2010078838.tif 000013
【図９】
2010078838.tif 000014
【図１０】
2010078838.tif 000015
【図１１】
2010078838.tif 000016
【図１２Ａ】
2010078838.tif 000017
【図１２Ｂ】
2010078838.tif 000018
【図１３】
2010078838.tif 000019